(57)【要約】【課題】  一つの装着具で多様な作業の工具を収納できる、自由度の高い、汎用性の広い装着具を提供することである。【解決手段】上面が開口した袋体１Ａと、袋体１Ａの背面に吊下げ部９とを備えた装着具１であって、袋体１Ａの内部に収納可能に形成された工具保持部31を有する工具保持体30を備え、この工具保持体30に被係着部32を備えるとともに、この被係着部32に着脱自在な係着部８を袋体１Ａの内面に備えたことにより、必要な工具を工具保持体30の工具保持部31にセットしておけば、自由に付け替えができる構造となっているので、作業時間の短縮や、作業者の体への負担を軽減できる。【選択図】図１
0003132094.tif 000002
【実用新案登録請求の範囲】
【請求項１】
上面が開口した袋体と、袋体の背面に吊下げ部とを備えた装着具であって、前記袋体の内部に収納可能に形成された工具保持部を有する工具保持体を備え、この工具保持体に被係着部を備えるとともに、この被係着部に着脱自在な係着部を前記袋体の内面に備えたことを特徴とする装着具。
【請求項２】
前記工具保持体を、前記袋体の前記開口から収納可能な板体としたことを特徴とする請求項１記載の装着具。
【請求項３】
前記工具保持体を、前記袋体の前記開口から差込可能に設けたことを特徴とする請求項１又は２に記載の装着具。
【請求項４】
前記袋体を、弾性変形可能な素材によって形成し、前記工具保持体の少なくとも一方の寸法を前記袋体の開口の径より大きく形成したことを特徴とする請求項１〜３のいずれか１項に記載の装着具。
【請求項５】
前記工具保持体を、軟質合成樹脂板としたことを特徴とする請求項２〜４のいずれか１項に記載の装着具。
【請求項６】
前記袋体の内部に対し、選択可能に設けられた複数の前記工具保持体を有したことを特徴とする請求項１〜５のいずれか１項に記載の装着具。
【請求項７】
前記複数の工具保持体は、前記工具保持部の異なるものを複数種類備えたことを特徴とする請求項６記載の装着具。
【請求項８】
前記工具保持体を前記袋体の内部に収納した場合において、前記袋体と前記工具保持部との間に、遮水手段を備え、さらに、前記工具保持部を前記袋体に非接触の状態で配設したことを特徴とする請求項１〜７のいずれか１項に記載の装着具。
【請求項９】
前記遮水手段を、前記袋体の内部で、前記袋体の内部と前記工具保持部との間に配設された前記工具保持体本体としたことを特徴とする請求項８記載の装着具。
【請求項１０】
前記袋体の外部に通水性を有する収納部を備えたことを特徴とする請求項１〜９のいずれか１項に記載の装着具。
【考案の詳細な説明】
【技術分野】
【０００１】
本考案は、装着具に関するものである。
【背景技術】
【０００２】
従来、この種のものとして、工具類などを腰に吊り下げて持ち運ぶための装着具としてツールホルダが知られている。このツールホルダは、側面及び前面、若しくはベルト通し側に各種工具類が収納可能な工具収納ケース部分を備えていた（例えば、特許文献１）。
【特許文献１】実用新案登録第３０１２３２１号公報
【考案の開示】
【考案が解決しようとする課題】
【０００３】
しかし、従来の装着具たるツールホルダでは、工具袋の側面及び前面、もしくはベルト通し側の内側にあった工具収納ケース部分は、全て縫い付けられていたり、金具などの固定されており、収納できる工具も決まったもの以外は収納できなかった。その為、作業の種類や使用する工具が変わる度に違う作業用の袋、若しくは新たに収納ケースを付け替える、または最初から多くの工具を前記ケースと共に装着しておくなどの不便が生じる問題点があった。また、使用する工具を変えなければならない作業などにおいて、いちいち作業ベルトを外して、別の工具が収納されたツールホルダに取り替えなければならなかったり、予めツールホルダをベルトにセットしておかなければならず、作業者の腰に負担が掛かっていた。
【０００４】
本考案は、前記問題点を解決するために、一つの装着具で多様な作業の工具を収納できる、自由度の高い、汎用性の広い装着具を提供することである。
【課題を解決するための手段】
【０００５】
請求項１の考案は、上面が開口した袋体と、袋体の背面に吊下げ部とを備えた装着具であって、前記袋体の内部に収納可能に形成された工具保持部を有する工具保持体を備え、この工具保持体に被係着部を備えるとともに、この被係着部に着脱自在な係着部を前記袋体の内面に備えたことである。
【０００６】
請求項２の考案は、前記工具保持体を、前記袋体の前記開口から収納可能な板体としたことである。
【０００７】
請求項３の考案は、前記工具保持体を、前記袋体の前記開口から差込可能に設けたことである。
【０００８】
請求項４の考案は、前記袋体を弾性変形可能な素材によって形成し、前記工具保持体の少なくとも一方の寸法を前記袋体の開口の径より大きく形成したことである。
【０００９】
請求項５の考案は、前記工具保持体を軟質合成樹脂板としたことである。
【００１０】
請求項６の考案は、前記袋体の内部に対し、選択可能に設けられた複数の前記工具保持体を有したことである。
【００１１】
請求項７の考案は、前記複数の工具保持体は、前記工具保持部の異なるものを複数種類備えたことである。
【００１２】
請求項８の考案は、前記工具保持体を、前記袋体の内部に収納した場合において、前記袋体と前記工具保持部との間に、遮水手段を備え、さらに、前記工具保持部を前記袋体に非接触の状態で配設したことである。
【００１３】
請求項９の考案は、前記遮水手段を、前記袋体の内部で、前記袋体の内部と前記工具保持部との間に配設された前記工具保持体本体としたことである。
【００１４】
請求項10の考案は、前記袋体の外部に通水性を有する収納部を備えたことである。
【考案の効果】
【００１５】
請求項１の考案によれば、必要な工具を工具保持体の工具保持部にセットしておけば、自由に付け替えができる構造となっているので、作業時間の短縮や、作業者の体への負担を軽減できる。また、袋体の内側に工具保持体が取り付けてあるので、工具保持部への収納が不十分な工具が、工具保持部から飛び出した場合においても、袋体の内部で受け止めることにより、工具が外へ飛び出して落下させてしまうことにはいたらず、工具の落下事故を未然に防ぐことが可能である。また、工具保持体に保持される工具を取り替えることによって、電気工事、大工工事、設備工事、農作業にいたるまで、袋体に収納される工具保持体次第で、前述したあらゆる作業への転用が可能となる。また、工具保持具に保持された工具を使用しない場合は、袋体から工具保持体を外すことで、袋体内部の容量をより大きくし、多くのものを収納できる装着具として使用できるので、袋体に対し工具保持体の有無などの使用の仕方によって、作業者のあらゆるニーズに合致させることができる。
【００１６】
請求項２の考案によれば、工具保持体を板体とすることで、工具を工具保持部に差し込む場合でも工具保持体の安定性が良いため、工具の装着が簡単に行うことができる。また、袋体に収納したり、持ち運んだりする場合において、取り回しに優れた工具保持体とすることができる。被係着部と係着部とを貼り合せる場合においても、工具保持体が板体であるため、板体の平面を袋体の内面に押し付け易く、被係着部と係着部との貼り合わせが確実になされ、袋体と工具保持体の固定を確実に行うことができる。
【００１７】
請求項３の考案によれば、工具保持体における袋体への出し入れに係る操作性を向上させる。
【００１８】
請求項４の考案によれば、工具保持体を袋体に装着する場合には、工具保持体を袋体の開口を押し広げながら挿入することが可能となり、この場合、袋体の内部に収納された工具保持体は、少なくとも、開口によって挟持されているので、被係着部及び係着部による固定に限らず、袋体の内部に収納された工具保持体が、袋体の外部に飛び出すことを防ぐことができる。
【００１９】
請求項５の考案によれば、袋体の内部に収納された工具保持体が、袋体の内部に撓んだ状態で挟持され、この工具保持体がこの撓んだ状態から戻ろうとする復元力によって、袋体の少なくとも開口を押し広げようとするため、工具保持体が、袋体の内部で突っ張った状態で固定され、被係着部及び係着部による固定に限らず、袋体の内部に収納された工具保持体が、袋体の外部に飛び出すことを防ぐことができる。
【００２０】
請求項６の考案によれば、電気工事、大工工事、設備工事、農作業にいたる各作業ごとに、工具保持体を複数用意することで、各作業ごとに各作業に適用した工具を工具保持部に備えた工具保持体に取り替えることによって、工具保持体次第で、前述したあらゆる作業での転用が可能となる。
【００２１】
請求項７の考案によれば、さまざまな大きさ・形状の工具を工具保持体に装着することが可能となり、工具保持体次第で、あらゆる作業に対応することが可能となる。
【００２２】
請求項８の考案によれば、袋体の内部の工具保持体に収納された工具類に水分が付着することを防ぎ、工具類を錆びや腐食等の影響から防ぐことが可能となる。
【００２３】
請求項９の考案によれば、袋体の内部に水が浸入した場合にも、工具保持体本体によって遮ることで、この水が工具保持部に付着することを防ぐことができる。その為、簡単な構造で、袋体の外部と工具保持部との水の伝達を遮る遮水構造を形成することが可能となる。
【００２４】
請求項10の考案によれば、袋体と工具保持部とを遮水手段によって水の伝達が遮られているので、袋体の外部に水分・油分等の液体が付着した状態でも、工具保持部の工具類に水が付着し難い構造となっており、この袋体の外部に濡れたものを収納可能な通水性を有する収納部を設けたとしても、工具保持部に収納された工具類に影響がでないので、袋体の外部に収納される対象物の範囲が大幅に拡大されるため、装着具の利便性が大幅に向上する。
【考案を実施するための最良の形態】
【００２５】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２６】
図１乃至図10は、本考案の実施形態の一つを示しており、同図において１は、ツールホルダとしての装着具であり、この装着具１は、上面に略矩形状の開口部２を形成し、前面部３、右側面部４、左側面部５、背面部６、底面部７とを備えた袋体１Ａを備える。この袋体１Ａは、合成樹脂などの弾性に富んだ素材から形成されている。
【００２７】
背面部６の内面におけるに上下方向に二分割した上半分側には、係着部たるメスの面ファスナ８が設けられている。
【００２８】
さらに、背面部６の裏面たる背面には、吊下げ部９が設けられている。この吊下げ部９は、背面部６の延設された上端６Ａを、ベルト挿通用空間Ｋ１を確保した状態で外側へ折り返し、背面部６の裏面たる背面に第１乃至第３のリベット10,11,12によって、固定して形成されている。
【００２９】
また、開口部２において、背面部６と両側面部４,５との第１乃至第２の合わせ部13,14を、第４乃至第５のリベット15,16によって、固定するとともに、前面部３と両側面部４,５との第３乃至第４の合わせ部17,18を、第１乃至第２の波型金属板19,20によって、挟み込んで固定している。
【００３０】
図３に示すように、袋体１の開口部２を平面視矩形をなすように各面部同士の合わせ部を配置し、第１乃至第４の合わせ部13,14,17,18をそれぞれ、各リベット15,16及び各波型金属板19,20によって固定したことにより、開口部２の平面形状が、矩形となるように配置された第１乃至第４の合わせ部13,14,17,18を結んで形成された各辺、つまり、前面部３、右側面部４及び左側面部５の上縁が、開口部２の内側へと絞られて形成されている。
【００３１】
図１乃至図４に示すように、前面部３,右側面部４,左側面部５には、それぞれ第１乃至第４の収納部21,22,23,24が設けられている。
【００３２】
前面部３に設けられた第１乃至第２収納部21,22は、共に伸縮性、通気性及び通水性を有するメッシュ素材からなり、上方に布ゴム等からなる弾性紐によって縁取られて形成されたパイピング部25,26を備えた開口を有する筒状の袋体からなり、前面部３の前面に対し並設されている。
【００３３】
右側面部４及び左側面部５に設けられた第３乃至第４収納部23,24は、伸縮性、通気性及び通水性を有するメッシュ素材からなり、各側面部23,24の両横縁と下縁に縫付固定され、開口端には布ゴム等からなる弾性紐によって縁取られて形成されたパイピング部27,28を有する。
【００３４】
また、右側面部４の外面上端には、リング体29が揺動自在に設けられている。
【００３５】
図１、図５乃至図８に示すように、袋体１の内部に収納可能な工具保持体30は、複数種類設けられている。遮水手段たる、この工具保持体本体30Ａは、軟質ポリ塩化ビニルシートや発泡樹脂シート等の軟質合成樹脂板からなる。この本体30Ａの幅寸法Ｈ１は、袋体１の開口部２の長手方向の幅寸法Ｈ２に対し、同等かそれ以上に形成されている。
【００３６】
工具保持体本体30Ａの表面たる前面に、各種工具類を収容可能な工具保持部31を備え、また、裏面たる背面を上下方向に二分割する上半分側に対し、前記メスの面ファスナ８に対応する、被係着部たるオスの面ファスナ32を備える。
【００３７】
図１に示す工具保持体30は、本体30Ａの前面に対し、上下に開口を備え、この上方の開口から下方の開口にかけて縮径して形成された筒体からなる第１工具保持部33と、布ゴム等の幅広な弾性紐からなるリング体と合成樹脂製布又は不織布等の一定の引掻き強度を有する素材から、一方向に連通して開口された筒体を上下方向に連通させて形成された第２工具保持部34,34を左右一対に並設させたものを備えており、この場合、第１工具保持部33には、各種ペンチ、各種ニッパ、各種プライヤの各種工具が収納可能なものを総称とした、ペンチホルダとして使用可能であり、また、第２工具保持部34,34は、各種筆記用具が収納可能なペンホルダとして使用可能であり、各種ＤＩＹ（日曜大工）作業に適している。
【００３８】
図５に示す工具保持体30は、本体30Ａの前面に対し、第１工具保持具部33と、第１工具保持部33の略半分の幅に形成された第３工具保持部35とを備えおり、この場合、第１工具保持部33は、各種ペンチ、各種ニッパ、各種プライヤの各種工具が収納可能なものを総称とした、ペンチホルダとして使用可能であり、また、第３工具保持部35は、各種ドライバが収納可能なドライバケースとして使用可能であり、各種ＤＩＹ（日曜大工）作業に適している。
【００３９】
図６に示す工具保持体30は、本体30Ａの前面に対し、上方に開口を有し、下端を水平に形成した筒状の袋体からなる第４工具保持部36と、伸縮性、通気性及び通水性を備えたメッシュ素材からなり、上方に開口を有し、下端を水平に形成した筒状の袋体からなる第５工具保持部37とを備えており、この場合、第４工具保持部36は、折込鋏等が収納可能な折込鋏ケースとして使用可能であり、第５工具保持部37は、メッシュ素材の伸縮性、通気性及び通水性を活かし、各種農具・工具・小物が収納可能であるため、各種農園芸作業に適している。
【００４０】
図７に示す工具保持体30は、本体30Ａの前面に対し、上方を開口し、下端を半円状に形成した筒状の袋体１からなる第６工具保持部38と、第５工具保持部37を備えており、この場合、第６工具保持部38は、剪定鋏が収容可能な剪定鋏ケースとして使用可能であり、また、第５工具保持部37は、メッシュ素材の伸縮性、通気性及び通水性を活かし、各種農具・工具・小物が収納可能であるため、各種農園芸作業に適している。
【００４１】
図８に示す工具保持体30は、本体30Ａの前面に対し、上方を開口し、下端を逆三角形に形成した袋体からなる第７工具保持部39を備えており、この場合、第７工具保持部39には、大久保鋏等を刃先から収納させることにより、大久保鋏等の刃先と柄が収まりよく収納可能な大久保鋏ケースとして使用可能であり、各種農園芸作業に適している。
【００４２】
ここで、本体30Ａへの第１乃至第７工具保持部33,34,35,36,37,38,39の取付は、縫製によって取り付けられている。
【００４３】
以上の構成について本実施例の装着具の使用方法を述べると、図１及び図５乃至図８に示す工具保持体30の各工具保持部31,33,34,35,36,37,38,39に、予め工具（図示せず）を保持させておき、作業者の用途に合った工具保持体30を選択し、袋体１Ａに差し込むように装着する。この時、装着具１は、装着具１の吊下げ部９に、作業者のベルトＢを挿通し、作業者に装着された状態となっている。
【００４４】
前段で述べたように、袋体１Ａの開口部２に、工具保持体30を上方から差し込むように装着するが、開口部２の縁が平面方向において内側に絞られた形状となっており、さらに、工具保持体30本体の幅寸法Ｈ１が、袋体１Ａの開口部２の長手方向の寸法Ｈ２に対し、同等もしくはそれ以上に形成されたことにより、本体30Ａを、開口部２を押し広げるようにして、上方から差し込んで、袋体１Ａの内部に入れる。この場合、図９に示すように、元の形状に戻ろうとする復元力Ｒ１が作用する開口部２の縁によって、工具保持体30の本体が、挟み込まれるような状態で保持され、さらに、工具保持体本体30Ａも、軟質ポリ塩化ビニルシートや発泡樹脂シート等の軟質合成樹脂板からなるため、この袋体１Ａの内部に差し込まれる場合に、作業者の手によって、袋体１Ａの開口部２の及び内部の形状に合うように変形され、その元の形状に戻ろうとする復元力Ｒ２によって、袋体１Ａの内部から両側面部を外側に押し広げようと作用し、工具保持体30は、袋体１Ａの内部で突っ張った状態で固定される。
【００４５】
その後、工具保持具本体30Ａの裏面たる背面を、袋体１Ａの背面部６の内部に面した面である内面に押し付け、袋体１Ａの係着部８に対し、工具保持具31の被係着部32を係着させて、袋体１Ａの内部に工具保持具30を固定する。この場合、被係着部32及び係着部８が共に、工具保持具本体30Ａの裏面たる背面を上下方向に二分割する上半分側及び背面部６の内面における上下方向に二分割した上半分側にそれぞれ設けたことにより、袋体１Ａの内部に工具保持具30を押し付ける場合に、作業者が力を込めやすい掌底部分に対応したところに、被係着部32及び係着部８が位置しており、袋体１Ａに対し、工具保持体本体30Ａを押し付け易い構造となっている。このように、工具保持体30は、袋体１Ａに装着される。
【００４６】
そして、作業が終わり、工具保持体30を別の工具保持体30に取り替える場合には、工具保持体30の被係着部32を袋体１Ａの係着部８から剥し、工具保持体30を袋体１Ａの内部から引き抜いて、所望の工具が保持された別の工具保持体30を、前述したとおりに袋体１Ａに取り付ける。
【００４７】
図１に示す、袋体１Ａの各構成についての使用方法について述べると、リング体29には、様々な工具類が吊下げ可能であり、装着具１が使われていない状態では、このリング体29を壁のフック等に引っ掛け、装着具１を吊下げて収納することが可能である。
【００４８】
第１乃至第４の収納部21,22,23,24は、ともに伸縮性、通気性及び通水性を有するメッシュ素材からなり、上方に布ゴム等からなる弾性紐によって縁取られたパイピング部25,26,27,28が形成された開口を有する筒状の袋体であるから、この袋体１の形状に合った工具、農具、筆記具、その他のもの以外にも、このメッシュ素材の伸縮性を活かし、ある程度の大きさの工具類を収納することが可能である。
【００４９】
さらに、第１乃至第４の収納部21,22,23,24は、通気性及び通水性も有しているため、濡れたままの工具類も収納可能である。この場合、袋体１Ａの前面部３、両側面部４,５のそれぞれの外面に対し、通気性及び通水性を有した第１乃至第４の収納部21,22,23,24を備えたことにより、濡れたままの工具類を、これら第１乃至第４の収納部21,22,23,24に収納することで、袋体１Ａの内部に収納される工具とこの濡れたままの工具類とを区別して収納することを可能としている。
【００５０】
図２及び図９を参照しながら、さらに詳細に説明すると、工具保持具30を装着した袋体１Ａでは、図９に示すように、工具保持体30と袋体１Ａの両側面部４,５とは、工具保持体本体30Ａの左右側部が当接しているのみであり、また、工具保持体30と袋体１Ａの前面部３では、工具保持部31と前面部３との間には離間Ｓが形成されている。さらに、図２に示すように、工具保持体30と袋体１Ａの底面部７とは、底面部７に対し、工具保持体本体30Ａの底部のみが当接可能となっている。また、工具保持体30と袋体１Ａの背面部６とは、被係着部32と係着部８により、接触しており、その他では、工具保持体本体30Ａの背面のみが袋体１Ａの背面部６に対し当接可能となっている。この場合、工具保持体30と袋体１Ａとの接触部分が、軟質ポリ塩化ビニルシートや発泡樹脂シート等の軟質合成樹脂板からなる工具保持体本体30Ａのみであり、工具保持体30に設けられた工具保持部31と袋体１Ａとは、非接触構造となっている。この場合、袋体１Ａが濡れた状態であっても、この袋体１Ａに染込んだ水分は、工具保持体本体30Ａによって遮られるため、袋体１から工具保持体30に設けられた工具保持部31への水分の伝達が極力防がれる構造となっている。
【００５１】
以上のように、前記実施例では請求項１に対応して、上面が開口した袋体１Ａと、袋体１Ａの背面に吊下げ部９とを備えた装着具１であって、前記袋体１Ａの内部に収納可能に形成された工具保持部31を有する工具保持体30を備え、この工具保持体30に被係着部32を備えるとともに、この被係着部32に着脱自在な係着部８を前記袋体１Ａの内面に備えたことにより、必要な工具を工具保持体30の工具保持部31にセットしておけば、自由に付け替えができる構造となっているので、作業時間の短縮や、作業者の体への負担を軽減できる。また、袋体１Ａの内側に工具保持体30が取り付けてあるので、工具保持部31への収納が不十分な工具が、工具保持部から飛び出した場合においても、袋体１Ａの内部で受け止めることにより、工具が外へ飛び出して落下させてしまうことにはいたらず、工具の落下事故を未然に防ぐことが可能である。また、工具保持体30に保持される工具を取り替えることによって、電気工事、大工工事、設備工事、農作業にいたるまで、袋体１Ａに収納される工具保持体30次第で、前述したあらゆる作業への転用が可能となる。また、工具保持体30に保持された工具を使用しない場合は、袋体１Ａから工具保持体30を外すことで、袋体１Ａ内部の容量をより大きくし、多くのものを収納できる装着具１として使用できるので、袋体１Ａに対し工具保持体30の有無などの使用の仕方によって、作業者のあらゆるニーズに合致させることができる。
【００５２】
また、前記実施例では請求項２に対応して、前記工具保持体30を、前記袋体１Ａの前記開口２から収納可能な板体としたことにより、工具を工具保持部31に差し込む場合でも工具保持体30の安定性が良いため、工具の装着を簡単に行うことができる。また、袋体１Ａに収納したり、持ち運んだりする場合において、取り回しに優れた工具保持体30とすることができる。被係着部32と係着部８とを貼り合せる場合においても、工具保持体30が板体であるため、板体30Ａの平面を袋体１Ａの内面に押し付け易く、被係着部32と係着部８との貼り合わせが確実になされ、袋体１Ａと工具保持体30の固定を確実に行うことができる。
【００５３】
さらに、前記実施例では請求項３に対応して、前記工具保持体30を、前記袋体１Ａの前記開口２から差込可能に設けたことにより、工具保持体30における袋体１Ａへの出し入れに係る操作性を向上させる。
【００５４】
また、前記実施例では請求項４に対応して、前記袋体１Ａを弾性変形可能な素材によって形成し、前記工具保持体30の少なくとも一方の寸法Ｈ１を前記袋体１Ａの開口２の径Ｈ２より大きく形成したことにより、工具保持体30を袋体１Ａに装着する場合には、工具保持体30を袋体１Ａの開口２を押し広げながら挿入することが可能となり、この場合、袋体１Ａの内部に収納された工具保持体30は、少なくとも、開口２によって挟持されているので、被係着部32及び係着部８による固定に限らず、袋体１Ａの内部に収納された工具保持体30が、袋体１Ａの外部に飛び出すことを防ぐことができる。
【００５５】
さらに、前記実施例では請求項５に対応して、前記工具保持体30を軟質合成樹脂板としたことにより、袋体１Ａの内部に収納された工具保持体30が、袋体１Ａの内部に撓んだ状態で挟持され、この工具保持体30がこの撓んだ状態から戻ろうとする復元力Ｒ２によって、袋体１Ａの少なくとも開口２を押し広げようとするため、工具保持体30が、袋体１Ａの内部で突っ張った状態で固定され、被係着部32及び係着部８による固定に限らず、袋体１Ａの内部に収納された工具保持体30が、袋体１Ａの外部に飛び出すことを防ぐことができる。
【００５６】
また、前記実施例では請求項６に対応して、前記袋体１Ａの内部に対し、選択可能に設けられた複数の前記工具保持体30を有したことにより、電気工事、大工工事、設備工事、農作業にいたる各作業ごとに、工具保持体30を複数用意することで、各作業ごとに各作業に適用した工具を工具保持部31に備えた工具保持体30に取り替えることによって、工具保持体30次第で、前述したあらゆる作業での転用が可能となる。
【００５７】
さらに、前記実施例では請求項７に対応して、前記複数の工具保持体30は、前記工具保持部31の異なるものを複数種類備えたことにより、さまざまな大きさ・形状の工具を工具保持体30に装着することが可能となり、工具保持体30次第で、あらゆる作業に対応することが可能となる。
【００５８】
また、前記実施例では請求項８に対応して、前記工具保持体30を前記袋体１Ａの内部に収納した場合において、前記袋体１Ａと前記工具保持部31との間に、遮水手段を備え、さらに、前記工具保持部31を前記袋体１Ａに非接触の状態で配設したことにより、袋体１Ａの内部の工具保持体30に収納された工具類に水分が付着することを防ぎ、工具類を錆びや腐食等の影響から防ぐことが可能となる。
【００５９】
さらに、前記実施例では請求項９に対応して、前記遮水手段を、前記袋体１Ａの内部で、前記袋体１Ａの内部と前記工具保持部31との間に配設された前記工具保持体本体30Ａとしたことにより、袋体１Ａの内部に水が浸入した場合にも、工具保持体本体30Ａによって遮ることで、この水が工具保持部31に付着することを防ぐことができる。その為、簡単な構造で、袋体１Ａの外部と工具保持部31との水の伝達を遮る遮水構造を形成することが可能となる。
【００６０】
また、前記実施例では請求項10に対応して、前記袋体１Ａの外部に通水性を有する収納部21,22,23,24を備えたことにより、袋体１Ａと工具保持部31とを遮水構造によって水の伝達が遮られているので、袋体１Ａの外部に水分・油分等の液体が付着した状態でも、工具保持部31の工具類に水が付着し難い構造となっているので、この袋体１Ａの外部に濡れたものを収納可能な通水性を有する収納部21,22,23,24を設けたとしても、工具保持部31に収納された工具類には影響が少なく、袋体１Ａの外部に収納される対象物の範囲が大幅に拡大されるため、装着具１の利便性が大幅に向上する。
【００６１】
本実施例上の効果としては、図２に示すように、袋体１Ａの背面部６と工具保持体本体30Ａとが、被係着部32及び係着部８を張り合わせた固定手段のみで、接触している。この場合、工具保持体本体30Ａは、袋体１Ａから離れて収納されているため、工具保持体本体30Ａに工具保持部31を縫製により接続した場合に、その縫い目から工具保持部31に水分が滲みことを極力防ぐことが可能となり、袋体１Ａの外部と工具保持部31との水分の伝達が遮られる遮水作用が、より効果的に現れる。
【００６２】
なお、本発明は上記実施例に限定されるものではなく、種々の変形実施が可能である。例えば、吊下げ部をカラビナ等としてもよい。この場合、作業者の服装・装備に最適な吊下げ部とすることで、この装着具を装着した場合での作業性の向上や、装着具の装着に掛かる時間を短縮することができる。また、被係着部及び係着部として、スナップボタンの凸部及び／又は凹部としてもよい。この場合、スナップボタンの凸部と凹部を係合した場合に起こるパチッという音によって、作業者は袋体に工具保持体が確実に装着されているかどうかを目視以外にも確認することが可能となる。さらに、袋体の内部に収納される工具保持体の袋体内部での配置場所についても、本実施例では、工具保持体を袋体の背面部に装着していたが、前面部、左右側面部であってもかまわないものとする。この場合、装着具の設計の自由度が向上するとともに、装着具の利便性がさらに向上する。また、図11に示すように、前面部に第１乃至第４収納部21,22,23,24を備えた袋体１Ａに替えて、面ファスナ等の固定手段40,41により着脱自在に設けられた蓋部42,43を上方に備えた第５乃至第６収納部44,45を並設した袋体１Ａとしてもよい。この場合、この第５乃至第６収納部44,45には蓋部42,43を備えているため、多少の雨などはこの蓋部42,43によって防ぐことが可能であり、そのためこの第５乃至第６収納部44,45には、水分の付着を嫌う携帯電話等も収納可能であり、その上、蓋部42,43を固定手段40,41によって固定できるため、蓋部42,43を各収納部44,45に固定した状態で、収納部44,45の中身が飛び出すことを防ぐことができる。
【図面の簡単な説明】
【００６３】
【図１】本考案の実施形態を示す装着具の分解斜視図である。
【図２】同上、装着具の縦断面図である。
【図３】同上、袋体の概略を示した平面図である。
【図４】同上、袋体の斜視図である。
【図５】同上、工具保持体の他の実施形態を示す斜視図である。
【図６】同上、工具保持体の他の実施形態を示す斜視図である。
【図７】同上、工具保持体の他の実施形態を示す斜視図である。
【図８】同上、工具保持体の他の実施形態を示す斜視図である。
【図９】図３において、袋体に工具保持体を収納した状態を示した平面図である。
【図１０】袋体に工具保持体を収納した状態を示す斜視図である。
【図１１】袋体の他の実施形態を示す斜視図である。
【符号の説明】
【００６４】
１  装着具
１Ａ  袋体
２  開口部
８  係着部
21  第１収納部
22  第２収納部
23  第３収納部
24  第４収納部
30  工具保持体
30Ａ  工具保持体本体（遮水手段）
31  工具保持部
32  被係着部
【図１】
0003132094.tif 000003
【図２】
0003132094.tif 000004
【図３】
0003132094.tif 000005
【図４】
0003132094.tif 000006
【図５】
0003132094.tif 000007
【図６】
0003132094.tif 000008
【図７】
0003132094.tif 000009
【図８】
0003132094.tif 000010
【図９】
0003132094.tif 000011
【図１０】
0003132094.tif 000012
【図１１】
0003132094.tif 000013